(57)【要約】【課題】各台計数方式を採用した遊技台によって発行されたカードによって、非各台計数方式の遊技台へ台移動をした場合であっても、遊技者にわかりやすい動作を可能とするとともに、遊技者による記録媒体の取り忘れを防止することができること。【解決手段】計数機能付台間装置から受信した記録媒体の媒体識別子に関連付けて有価価値および計数値を記録媒体情報として管理装置が記憶し、記録媒体から媒体識別子を台間装置が読み取り、読み取られた媒体識別子に対応する記録媒体情報に基づいて当該記録媒体を返却するか否かを管理装置または台間装置が判定するように構成する。【選択図】図２
2010253124.tif 000002
【特許請求の範囲】
【請求項１】
貨幣若しくは有価価値と関連付けられた記録媒体を受け付けて遊技媒体の貸出処理を行う台間装置と、前記台間装置の機能に加え獲得した前記遊技媒体の計数機能を有する計数機能付台間装置と、前記記録媒体の有価価値ならびに獲得した前記遊技媒体の計数値を前記記録媒体に関連付けて管理する管理装置とを含んだ計数値管理システムであって、
前記管理装置は、
前記計数機能付台間装置から受信した前記記録媒体の媒体識別子に関連付けて前記有価価値および前記計数値を記録媒体情報として記憶する記録媒体情報記憶手段
を備え、
前記台間装置は、
前記記録媒体から前記媒体識別子を読み取る媒体識別子読取手段
を備え、
前記管理装置または前記台間装置は、
前記媒体識別子読取手段によって読み取られた前記媒体識別子に対応する前記記録媒体情報に基づいて当該記録媒体を返却するか否かを判定する返却判定手段
を備えたことを特徴とする計数値管理システム。
【請求項２】
前記返却判定手段は、
前記記録媒体に前記計数値が関連付けられている場合に、当該記録媒体を返却すると判定し、
前記台間装置は、
前記返却判定手段が前記記録媒体を返却すると判定した場合に、当該記録媒体に前記有価価値が関連付けられていれば、自装置へ当該有価価値を移行したうえで当該記録媒体を返却する返却手段
をさらに備えたことを特徴とする請求項１に記載の計数値管理システム。
【請求項３】
前記返却手段は、
あらかじめ保持している他の記録媒体へ前記有価価値を移行することを特徴とする請求項２に記載の計数値管理システム。
【請求項４】
貨幣若しくは有価価値と関連付けられた記録媒体を受け付けて遊技媒体の貸出処理を行う台間装置と、前記台間装置の機能に加え獲得した前記遊技媒体の計数機能を有する計数機能付台間装置と、前記記録媒体の有価価値ならびに獲得した前記遊技媒体の計数値を前記記録媒体に関連付けて管理する管理装置とに適用される計数値管理方法であって、
前記計数機能付台間装置から受信した前記記録媒体の媒体識別子に関連付けて前記有価価値および前記計数値を記録媒体情報として前記管理装置が記憶する記録媒体情報記憶工程
を含み、
前記記録媒体から前記媒体識別子を前記台間装置が読み取る媒体識別子読取工程
を含み、
前記媒体識別子読取工程によって読み取られた前記媒体識別子に対応する前記記録媒体情報に基づいて当該記録媒体を返却するか否かを前記管理装置または前記台間装置が判定する返却判定工程
を含んだことを特徴とする計数値管理方法。
【発明の詳細な説明】
【技術分野】
【０００１】
この発明は、貨幣若しくは有価価値と関連付けられた記録媒体を受け付けて遊技媒体の貸出処理を行う台間装置と、前記台間装置の機能に加え獲得した前記遊技媒体の計数機能を有する計数機能付台間装置と、前記記録媒体の有価価値ならびに獲得した前記遊技媒体の計数値を前記記録媒体に関連付けて管理する管理装置とを含んだ計数値管理システムおよび計数値管理方法に関し、特に、各台計数方式を採用した遊技台によって発行されたカードによって、非各台計数方式の遊技台へ台移動をした場合であっても、遊技者にわかりやすい動作を可能とするとともに、遊技者による記録媒体の取り忘れを防止することができる計数値管理システムおよび計数値管理方法に関するものである。
【背景技術】
【０００２】
従来から、パチンコ店などの遊技店に設置されるパチンコ機やパチスロ機といった遊技台と並設され、遊技台において遊技者が獲得した遊技媒体（以下、「持玉」と記載する）を計数する各台計数装置が知られている（たとえば、特許文献１参照）。
【０００３】
また、遊技者により挿入された貨幣の残額や計数した持玉の数量をカードに関連付けるカードシステムも知られてきた。各台計数装置では、かかるカードを用いて、パチンコ玉やメダルといった遊技媒体を払出すことができる。
【先行技術文献】
【特許文献】
【０００４】
【特許文献１】特開２００７−２２９１１１号公報
【発明の概要】
【発明が解決しようとする課題】
【０００５】
近年、各台計数装置が普及してきてはいるが、店内の全遊技台に対応している遊技店はいまだ少なく、大半の遊技店では各台計数装置対応の台間装置と、各台計数装置対応をしていない台間装置とが共存している。そのような遊技店において、各台計数方式の遊技台と非各台計数方式の遊技台間のプリペイド価値をもっての台移動を行うことは十分に考えられる。
【０００６】
しかしながら、上記した従来技術では、計数値が関連付けられた記録媒体（以下、単に「カード」と記載する）をもって、非各台計数方式の遊技台へ台移動を行い、カードによる再遊技が行われた際、カードの取り忘れが多発するという問題があった。
【０００７】
具体的には、各台計数装置で、遊技者によって挿入された貨幣の残額（以下、単に「残額」と記載する）および計数値が関連付けられたカードをもって、非各台計数方式の遊技台で、カードによる再遊技を行う際、カードの取り忘れる遊技者が多く見受けられた。
【０００８】
ここで、残額および計数値が関連付けられたカードによって、非各台計数方式の遊技台で遊技をした場合、計数値によって遊技媒体の払出は行えないため、残額によってのみ、払出が行われる。
【０００９】
その後、遊技者がカードの残額を使い切った時点で、残額「０」と表示されてから計数値の残ったカードが返却されるため、遊技者は「０」と表示されることで、計数値が残っているか否かがわかりにくかった。
【００１０】
また、状況によっては、カードを誰かに持って行かれた後、カードを取り忘れた遊技者が遊技台に戻った際に、遊技店に対して「カードが出てこなかった」といった苦情を言う等のトラブルも起こる可能性があるといった問題もあった。
【００１１】
このため、各台計数方式を採用した遊技台によって発行されたカードによって、非各台計数方式の遊技台へ台移動をした場合であっても、遊技者にわかりやすい動作を可能とするとともに、遊技者による記録媒体の取り忘れを防止することができる計数値管理システムおよび計数値管理方法をいかにして実現するかが大きな課題となっている。
【００１２】
本発明は、上述した従来技術による問題点を解消するためになされたものであって、各台計数方式を採用した遊技台によって発行されたカードによって、非各台計数方式の遊技台へ台移動をした場合であっても、遊技者にわかりやすい動作を可能とするとともに、遊技者による記録媒体の取り忘れを防止することができる計数値管理システムおよび計数値管理方法を提供することを目的とする。
【課題を解決するための手段】
【００１３】
上述した課題を解決し、目的を達成するため、本発明は、貨幣若しくは有価価値と関連付けられた記録媒体を受け付けて遊技媒体の貸出処理を行う台間装置と、前記台間装置の機能に加え獲得した前記遊技媒体の計数機能を有する計数機能付台間装置と、前記記録媒体の有価価値ならびに獲得した前記遊技媒体の計数値を前記記録媒体に関連付けて管理する管理装置とを含んだ計数値管理システムであって、前記管理装置は、前記計数機能付台間装置から受信した前記記録媒体の媒体識別子に関連付けて前記有価価値および前記計数値を記録媒体情報として記憶する記録媒体情報記憶手段を備え、前記台間装置は、前記記録媒体から前記媒体識別子を読み取る媒体識別子読取手段を備え、前記管理装置または前記台間装置は、前記媒体識別子読取手段によって読み取られた前記媒体識別子に対応する前記記録媒体情報に基づいて当該記録媒体を返却するか否かを判定する返却判定手段を備えたことを特徴とする。
【００１４】
また、本発明は、上記の発明において、前記返却判定手段は、前記記録媒体に前記計数値が関連付けられている場合に、当該記録媒体を返却すると判定し、前記台間装置は、前記返却判定手段が前記記録媒体を返却すると判定した場合に、当該記録媒体に前記有価価値が関連付けられていれば、自装置へ当該有価価値を移行したうえで当該記録媒体を返却する返却手段をさらに備えたことを特徴とする。
【００１５】
また、本発明は、上記の発明において、前記返却手段は、あらかじめ保持している他の記録媒体へ前記有価価値を移行することを特徴とする。
【発明の効果】
【００１６】
本発明によれば、計数機能付台間装置から受信した記録媒体の媒体識別子に関連付けて有価価値および計数値を記録媒体情報として管理装置が記憶し、記録媒体から媒体識別子を台間装置が読み取り、読み取られた媒体識別子に対応する記録媒体情報に基づいて当該記録媒体を返却するか否かを管理装置または台間装置が判定することとしたので、各台計数方式を採用した遊技台によって発行されたカードによって、非各台計数方式の遊技台へ台移動をした場合であっても、遊技者にわかりやすい動作を可能とするとともに、遊技者による記録媒体の取り忘れを防止することができるという効果を奏する。
【００１７】
また、本発明によれば、記録媒体に計数値が関連付けられている場合に、当該記録媒体を返却すると管理装置または台間装置が判定し、記録媒体を返却すると判定した場合に、当該記録媒体に有価価値が関連付けられていれば、自装置へ当該有価価値を移行したうえで当該記録媒体を台間装置が返却することとしたので、記録媒体に計数値が関連付けられている場合であっても、有価価値が記録媒体に関連付けられている場合は、有価価値によって遊技媒体の払出を行うことができるという効果を奏する。
【００１８】
また、本発明によれば、あらかじめ保持している他の記録媒体へ有価価値を管理装置または台間装置が移行することとしたので、計数値が関連付けられている記録媒体を返却した場合であっても、管理装置で有価価値の記憶管理することができるという効果を奏する。
【図面の簡単な説明】
【００１９】
【図１】図１は、本発明にかかる計数値管理システムの概要を示す図である。
【図２】図２は、本実施例にかかる計数機能なし台間装置および管理装置の構成を示すブロック図である。
【図３】図３は、本実施例にかかる計数機能付き台間装置および管理装置の構成を示すブロック図である。
【図４】図４は、計数機能なし台間装置の外観図である。
【図５】図５は、計数機能付き台間装置の外観図である。
【図６】図６は、本実施例にかかる店内システムのシステム構成図である。
【図７】図７は、カード情報の一例を示す図である。
【図８】図８は、本実施例にかかる計数機能なし台間装置が行う処理手順を示すフローチャートである。
【図９】図９は、本発明にかかる計数値管理システムの変形例を示す図である。
【発明を実施するための形態】
【００２０】
以下に添付図面を参照して、本発明にかかる計数値管理システムの好適な実施例を詳細に説明する。なお、以下では、本発明にかかる計数値管理システムの概要について図１を用いて説明した後に、本発明にかかる計数値管理システムについての実施例を図２〜図８を用いて説明することとする。
【００２１】
今回の本発明にかかる計数値管理システムでは、計数機能付き台間装置によって発行されたカードを、計数機能をもたない台間装置に挿入した際に、受付可否の判定を行い、受付不可と判定したらすぐに、カードを返却することによって、遊技者によるカードの取り忘れを防止できる点に主たる特徴がある。
【００２２】
図１は、本発明にかかる計数値管理システムの概要を示す図である。同図に示すように、パチンコ店には、挿入された貨幣の残額と遊技者が獲得したパチンコ玉を計数した計数値とをカード情報として管理している管理装置と、計数機能付き台間装置と、計数機能なし台間装置とが接続されている。
【００２３】
なお、ここでは、計数機能なし台間装置で受付可否の判定を行うよう説明するが、管理装置で受付可否、すなわち、カード返却を行うか否かの判定を行ってもよく、この場合、計数機能なし台間装置の処理負荷を軽減することができる。
【００２４】
ここで、計数機能付き台間装置に併設される遊技台にて遊技を行った後、遊技終了時に、貨幣の残額や有価価値残高（以下、「残額」と記載する）が３０００円で、かつ、計数機能付き台間装置で計数されたパチンコ玉の残数（以下、「計数値」と記載する）が、１５５０個であった場合にについて説明する。
【００２５】
この場合、計数機能付き台間装置は、装置内部に収納されているカードのカードＩＤ００１、残額３０００円および計数値１５５０個を管理装置に送信することによって、管理装置は、カード情報に、「カードＩＤ：００１、残額：３０００円、計数値：１５５０個」と登録する（同図の（１）参照）。
【００２６】
その後、計数機能付き台間装置では、カードＩＤが００１であるカードを発行し（同図の（２）参照）、遊技者は発行されたカードをもって、計数機能なし台間装置に併設される遊技台に台移動を行い、再遊技を行う。
【００２７】
そして、カードＩＤが００１であるカードを挿入して再遊技を行う際に、計数機能なし台間装置ではカード挿入時に、カードＩＤに対応付けられたカード情報に基づいてカードの受付可否の判定を行う（同図の（３）参照）。
【００２８】
ここで、計数機能なし台間装置は、計数値によってパチンコ玉の払出をする機能がないため、カードＩＤ００１に対応付けられたカード情報の計数値が存在する場合は、カードの受付を不可と判定して、カードＩＤ００１のカードを返却する。
【００２９】
このように、各台計数方式を採用した遊技台によって発行されたカードによって、非各台計数方式の遊技台へ台移動をした場合であっても、遊技者にわかりやすい動作を可能とするとともに、遊技者による記録媒体の取り忘れを防止することができる計数値管理システムおよび計数値管理方法を提供することができる。以下では、本発明にかかる計数値管理システムについての実施例を詳細に説明する。
【実施例】
【００３０】
以下に添付図面を参照して、本発明にかかる計数値管理システムについての実施例を詳細に説明する。まず、本実施例にかかる計数値管理システムの構成について図２および図３を用いて説明する。
【００３１】
ここで、計数機能なし台間装置１０および計数機能付き台間装置２０の概要構成を説明するために、図４および図５を用いて計数機能なし台間装置１０および計数機能付き台間装置２０の外観について説明しておく。
【００３２】
まず、図４は、計数機能なし台間装置１０の外観図である。なお、同図には、計数機能なし台間装置１０が併設されたパチンコ機４０ａを破線で示している。
【００３３】
同図に示すように、計数機能なし台間装置１０は、計数機能なし台間装置１０の状態（正常、エラー）等を表示する状態表示部８１と、パチンコ玉の払出のための各種紙幣を受け付ける紙幣挿入部１７と、従業員が携帯するリモコン（携帯端末装置）からの指示を受け付けるリモコン受光部８２とを備えている。
【００３４】
また、計数機能なし台間装置１０は、パチンコ玉の払出要求を行う払出ボタンや遊技終了時にカードの返却要求を行う返却ボタン等で構成される操作部１２と、挿入した紙幣の残額の表示を行う表示部８３と、紙幣の残額や計数値が価値付けられている会員カードやビジターカード等を受け付けるカードＲ／Ｗ部１１とを備えている。
【００３５】
操作部１２の払出ボタンが押下されたら、紙幣挿入部１７へ挿入された紙幣の残額、または、カードＲ／Ｗ部１１に挿入されたカードに関連付けられた残額のいずれかを用いて、パチンコ玉をパチンコ機４０ａの上皿８７へ投出する。
【００３６】
そして、遊技終了時に、遊技者によってカードの返却要求を行う返却ボタンを押下されたら、計数機能なし台間装置１０は、残額をカードに関連付けた後、カードＲ／Ｗ部１１へカードを返却する。
【００３７】
つぎに、図５は、計数機能付き台間装置２０の外観図である。なお、同図には、計数機能付き台間装置２０が併設されたパチンコ機４０ｂを破線で示しており、図４と比較して同様の機能を発揮する部分については同一の符号を用いており、異なる機能について説明することとする。計数機能付き台間装置２０は、持玉の計数機能がある点で、計数機能なし台間装置１０とは異なる。
【００３８】
具体的には、図５に示すように、計数機能付き台間装置２０は、計数機能なし台間装置１０に備える機能の他に、持玉計数部１６で計数されたパチンコ玉を払出す際に、パチンコ玉を払出すノズルを備えた持玉払出部８４と、持玉を計数する持玉計数部１６と、持玉を貯留する玉貯留部８５とを備えている。
【００３９】
たとえば、パチンコ機４０ｂが特賞状態の際などに、計数機能付き台間装置２０は、同図に示すパチンコ機４０ｂの下皿８６から持玉を玉貯留部８５へ誘導し、持玉計数部１６で持玉の数量を計数する。なお、計数後のパチンコ玉は、図示しないパチンコ玉回収経路へ排出される。
【００４０】
また、操作部１２の払出ボタンが押下されたら、紙幣挿入部１７へ挿入された紙幣の残額またはカードＲ／Ｗ部１１に挿入されたカードに関連付けられた残額を用いて払出を行う場合は、パチンコ機４０ｂから投出する。（たとえば、４円／個の貸出レートで５００円なら１２５個。２５個×５回の投出動作を行う。）
【００４１】
さらに、操作部１２の払出ボタンが押下され、計数値を用いて払出を行う場合には、ノズルを備えた持玉払出部８４経由でパチンコ玉を投出する。（たとえば、１回の操作で２００個投出する。）
【００４２】
そして、遊技終了時に、遊技者によってカードの返却要求を行う返却ボタンを押下されたら、計数機能付き台間装置２０は、紙幣の残額や持玉数をカードに関連付けた後、カードＲ／Ｗ部１１へカードを返却する。
【００４３】
図２の説明に戻り、計数機能なし台間装置１０および管理装置３０の構成について説明する。図２は、本実施例にかかる計数機能なし台間装置１０および管理装置３０の構成を示すブロック図である。なお、図２では、計数機能なし台間装置１０および管理装置３０の特徴点を説明するために必要な構成要素のみを抜粋して示している。
【００４４】
まず、計数機能なし台間装置１０は、カードＲ／Ｗ（読み込み／書き込み）部１１と、操作部１２と、通信Ｉ／Ｆ（インターフェース）１３と、記憶部１４と、制御部１５とを備えており、制御部１５は、カード情報取得部１５ａと、返却判定部１５ｂと、カード処理部１５ｈと、払出処理部１５ｃとをさらに備えており、記憶部１４は、残額情報１４ａを記憶する。
【００４５】
カードＲ／Ｗ部１１は、カードが挿入されていた場合は、挿入されているカードに関連付けられたカードＩＤを読み取り、また、カードが挿入されていなかった場合は、装置内部に収納されているカードに関連付けられたカードＩＤを読み取る。また、カード返却を行う際には、読み取ったカードに残額情報１４ａを関連付ける。
【００４６】
操作部１２は、払出要求操作を行う払出ボタンおよびカード返却要求操作を行う返却ボタンを備えており、払出ボタンが押下されて払出要求を受け付けたら、払出処理部１５ｃへ処理を受け渡す。また、操作部１２は、カード返却ボタンが押下されてカード返却要求を受け付けたら、カードを返却する処理を行う制御部１５へ処理を受け渡す。
【００４７】
通信Ｉ／Ｆ１３は、ＬＡＮカード等の通信デバイスで構成され、ＬＡＮ等のネットワーク経由で他装置との通信を可能にする。たとえば、遊技終了時に計数機能なし台間装置１０から管理装置３０へカードＩＤおよび残額情報１４ａを送信する等、計数機能なし台間装置１０と管理装置３０との間のデータ送受信を行う。
【００４８】
記憶部１４は、不揮発性メモリやハードディスクドライブといった記憶デバイスで構成される記憶部であり、カード情報取得部１５ａが取得したカード情報の残額または遊技者によって挿入された紙幣の残額を残額情報１４ａとして記憶する。
【００４９】
カード情報取得部１５ａは、カードＲ／Ｗ部１１から受け渡されたカードＩＤに基づいて管理装置３０に備えるカード情報３２ａから、カードＩＤに対応付けられた残額および計数値を取得して、返却判定部１５ｂへ受け渡す処理を行う処理部である。
【００５０】
返却判定部１５ｂは、カードＩＤに対応付けられた残額および計数値に基づいてカードの受付可否の判定処理を行う処理部である。ここでは、計数値が存在する場合は、カードの受付を不可、すなわち、カードを返却すると判定し、計数値が０個であった場合には、カードの受付を行う、すなわち、カード返却を行わないと判定する。そして、返却判定部１５ｂは、カード処理部１５ｈへ判定結果を通知する。
【００５１】
カード処理部１５ｈでは、返却判定部１５ｂから通知された判定結果に基づいてカードの返却指示を行ったり、カードの受付処理を行ったりする処理を行う処理部である。たとえば、判定結果が「カードを返却する」であった場合には、カードＲ／Ｗ部１１にカード返却指示を行うとともに、表示部８３にカード返却の理由等を報知するよう指示を行う。
【００５２】
一方、判定結果が「カードを返却しない」であった場合には、払出処理部１５ｃが残額によって払出処理をすることができるように、残額を記憶部１４の残額情報１４ａに記憶する。
【００５３】
払出処理部１５ｃは、操作部１２から払出要求を受け付けたら、残額情報１４ａによってパチンコ玉の払出処理を行う処理部である。さらに、記憶部１４に記憶される残額情報１４ａから払出した玉数を減算して、残額情報１４ａに記憶する処理を併せて行う。
【００５４】
一方、管理装置３０は、通信Ｉ／Ｆ３１と、記憶部３２と、制御部３３とを備えており、制御部３３は、カード情報登録部３３ａと、カード情報通知部３３ｂとをさらに備えており、記憶部３２は、カード情報３２ａを記憶する。
【００５５】
通信Ｉ／Ｆ３１は、ＬＡＮカード等の通信デバイスで構成され、ＬＡＮ等のネットワーク経由で他装置との通信を可能にする。たとえば、計数機能なし台間装置１０からカード情報３２ａの問い合わせを受け付けた際に、カード情報３２ａを送信する等、管理装置３０と計数機能なし台間装置１０との間のデータ送受信を行う。
【００５６】
記憶部３２は、不揮発性メモリやハードディスクドライブといった記憶デバイスで構成される記憶部であり、カード情報登録部３３ａが通信Ｉ／Ｆ３１を介して受信したカードＩＤ、残額および計数値をカード情報３２ａとして記憶する。
【００５７】
カード情報登録部３３ａは、計数機能付き台間装置２０が送信したカードＩＤ、残額および計数値を通信Ｉ／Ｆ３１を介して受信したら、カードＩＤに対応付けてカード情報３２ａに記憶する処理を行う処理部である。
【００５８】
カード情報通知部３３ｂは、カード情報取得部１５ａからカードＩＤを通信Ｉ／Ｆ３１を介して受信することによって、カード情報３２ａの問い合わせが行われたら、受信したカードＩＤに対応付けられた残額および計数値を、通信Ｉ／Ｆ３１を介して計数機能なし台間装置１０に通知する処理を行う処理部である。
【００５９】
つづいて、本実施例にかかる計数機能付き台間装置２０および管理装置３０の構成について図３を用いて説明する。図３は、本実施例にかかる計数機能付き台間装置２０および管理装置３０の構成を示すブロック図である。
【００６０】
なお、図３では、図２と比較して同様の機能を発揮する部分については同一の符号を用いており、特徴点を説明するため、異なる機能についてのみ説明することとする。計数機能付き台間装置２０は、計数機能がある点で計数機能なし台間装置１０とは異なる。
【００６１】
具体的には、計数機能付き台間装置２０は、図２の説明で上述した機能の他に、持玉計数部１６、紙幣挿入部１７、カード処理部１５ｄ、カード情報登録部１５ｅ、計数値処理部１５ｆおよび残額処理部１５ｇを備え、記憶部１４は、カード情報１４ｂを記憶する。
【００６２】
持玉計数部１６は、計数要求操作を行う計数ボタンを備え、計数機能付き台間装置２０に併設されるパチンコ機が特賞状態の際に、遊技者が獲得したパチンコ玉を計数し、計数値処理部１５ｆに計数値を受け渡す。
【００６３】
なお、ここで、遊技者がパチンコ玉を玉貯留部８５に流すことにより、自動で計数を開始するようにしてもよいし、遊技者が計数ボタンを押下することにより、計数を開始するようにしてもよい。
【００６４】
紙幣挿入部１７は、パチンコ玉の払出のため各種紙幣を受け付け、遊技者により挿入された紙幣を読み取り、紙幣額を判別し、判別した紙幣額をカード情報１４ｂに記憶させるため、残額処理部１５ｇへ受け渡す。
【００６５】
記憶部１４は、不揮発性メモリやハードディスクドライブといった記憶デバイスで構成される記憶部であり、持玉計数部１６が計数した計数値および遊技者によって挿入された紙幣の残額をカード情報１４ｂとして記憶する。
【００６６】
カード処理部１５ｄは、カードＲ／Ｗ部１１で読み取ったカードＩＤに基づいて管理装置３０のカード情報３２ａを取得して、記憶部１４のカード情報１４ｂとして記憶する処理を行う処理部である。
【００６７】
カード情報登録部１５ｅは、操作部１２に備えるカード返却ボタンが押下されてカード返却要求を受け付けたら、収納されているカードまたは挿入されたカードのカードＩＤに関連付けてカード情報１４ｂを管理装置３０に登録する処理を行う処理部である。
【００６８】
また、カード情報登録部１５ｅは、カード情報１４ｂを管理装置３０に登録するとともに、カードＲ／Ｗ部１１で返却するカードにカード情報１４ｂを関連付けるために、カード情報１４ｂをカードＲ／Ｗ部１１へ受け渡す処理を併せて行う。
【００６９】
計数値処理部１５ｆは、持玉計数部１６から受け渡された計数値をカード情報１４ｂの計数値に記憶する処理を行う処理部である。また、残額処理部１５ｇは、紙幣挿入部１７で判別した紙幣額をカード情報１４ｂの残額に記憶する処理を行う処理部である。
【００７０】
図示していないが、計数機能付き台間装置２０には、ノズル等の計数玉返却機構があってもよい。計数玉返却機構は図示しない計数玉返却操作により返却指示があった場合に、所定数のパチンコ玉を返却する機能を有するものである。なお、この計数玉返却機構は特に設ける必要はなく、貸玉の払出と同様に遊技台から投出するようにしてもよい。
【００７１】
つぎに、本実施例にかかる遊技店の店内システムのシステム構成について図６を用いて説明する。図６は、本実施例にかかる店内システムのシステム構成図である。
【００７２】
同図に示すように、遊技店に設置された管理装置３０には、ＬＡＮ（Local  Area  Network）等のネットワーク経由で、島コントローラ５０と、精算機６０と、景品管理装置７０と、カード端末機８０とが接続されている。さらに、管理装置３０は、管理装置３０が備えるデータベースにカード情報３２ａを記憶して、ビジターカードや会員カードのカードＩＤに対応付けて、残額および持玉の計数値を管理している。
【００７３】
島コントローラ５０は、周囲を通路に囲まれたスペース（遊技島）に設けられた一群の計数機能なし台間装置１０、計数機能付き台間装置２０、パチンコ機４０ａおよびパチンコ機４０ｂを束ねる中継装置である。
【００７４】
島コントローラ５０には、計数機能なし台間装置１０および計数機能付き台間装置２０が接続されている。なお、同図には、２台の島コントローラ５０のみを示しているが、管理装置３０には所定数の島コントローラ５０が接続されるものとする。
【００７５】
また、計数機能なし台間装置１０は、島コントローラ５０とパチンコ機４０ａとの間に介在し、所定数の計数機能なし台間装置１０およびパチンコ機４０ａを含む一群を計数機能なし台間装置コーナーと呼ぶこととする。
【００７６】
一方、計数機能付き台間装置２０は、島コントローラ５０とパチンコ機４０ｂとの間に介在し、所定数の計数機能付き台間装置２０およびパチンコ機４０ｂと、を含む一群を計数機能付き台間装置コーナーと呼ぶこととする。
【００７７】
パチンコ機４０ａおよびパチンコ機４０ｂは、パチンコ玉を遊技領域に発射して遊技者がパチンコ遊技を行う装置であり、本実施例では、カード対応のパチンコ機４０ａおよびパチンコ機４０ｂであるものとしている。
【００７８】
精算機６０は、カードの残額が残っているカードが挿入されたら、残額に相当する現金の払出を行い、カードの精算を行う。景品管理装置７０は、遊技店内の景品交換カウンタに併設された景品交換用の端末装置であり、図示しない交換玉数管理情報を用いて獲得玉と景品との交換を管理する。この交換玉数管理情報は、景品毎にその景品との交換に要する交換玉数を対応付けて記憶している。
【００７９】
また、遊技者は、景品交換カウンタへカードを持参し、景品管理装置７０に持玉数と関連付けられているカードを挿入したり、景品管理装置７０に併設されたカード端末機８０にカードをかざしたりすることで、カード情報３２ａに記憶されている持玉数に応じた景品を受け取ることができる。
【００８０】
その際、景品交換カウンタ内の従業員が、遊技者により指定された景品に対応する交換ボタンを押下し、景品管理装置７０は、当該景品に相当する交換玉数を獲得玉から減算する交換制御を実行させ、その後に従業員による手作業で遊技者に受け渡す。
【００８１】
このように、遊技店には、会員をはじめ遊技者に対してサービスを提供するシステムとして、会員カードを取り扱う店内機器（例えば、計数機能なし台間装置１０、計数機能付き台間装置２０および景品管理装置７０等）とこれらの店内機器を管理する図示しない会員管理装置とを含んで構成される会員管理システム、そして、カードを取り扱う店内機器（例えば、計数機能なし台間装置１０、計数機能付き台間装置２０および精算機６０等）を含んで構成されるカードシステム、さらには、遊技台の台データを取り扱う店内機器（例えば、計数機能なし台間装置１０、計数機能付き台間装置２０、パチンコ機４０ａおよびパチンコ機４０ｂ等）を含んで構成されるシステムが併存している。
【００８２】
つぎに、管理装置３０に備えるカード情報３２ａの一例について図７を用いて説明する。図７は、カード情報３２ａの一例を示す図である。同図に示すように、カード情報３２ａは、「カードＩＤ」項目と、カードＩＤに対応する「残額」項目および「計数値」項目を含んでいる。
【００８３】
たとえば、遊技者が、計数機能付き台間装置２０に併設されるパチンコ機４０ｂで遊技を行い、遊技終了時には、紙幣の残額が３０００円で、かつ、計数機能付き台間装置２０で計数されたパチンコ玉の計数値が１５５０個であった場合について説明する（同図表の１行目参照）。
【００８４】
この場合、計数機能付き台間装置２０が、カードＩＤ００１、残額３０００円および計数値１５５０個を管理装置３０に送信することによって、カード情報３２ａには、「カードＩＤ：００１、残額：３０００円、計数値：１５５０個」と記憶される。
【００８５】
このように、カード情報３２ａには、カードＩＤに対応付けて残額および計数値を管理する。一方、計数機能付き台間装置２０では、カードＩＤが００１であるカードを発行し、遊技者は、発行されたカードによって、計数機能なし台間装置１０に併設されるパチンコ機４０ａに台移動を行い、再遊技することができる。
【００８６】
計数機能なし台間装置１０は、遊技者によってカードＩＤが００１であるカードが挿入されると、まず、カードＩＤ００１を読込み、管理装置３０に対して、カードＩＤに対応付けられている計数値の問合わせを行う。
【００８７】
そして、問合せを受けた管理装置３０は、カード情報３２ａに記憶されている情報に基づいてカードＩＤ００１に対応する残額３０００円および計数値１５５０個を計数機能なし台間装置１０に通知する。
【００８８】
計数機能なし台間装置１０では、通知されたカード情報３２ａの計数値が存在することから、カードＩＤが００１であるカードの受付を不可と判定してカードを返却し、返却理由等を遊技者に対して報知する。
【００８９】
ここで、カードＩＤが００１であるカードが会員カードであった場合について、説明する。会員カードを所有する遊技者は、会員カードに計数値が関連付けられている場合に、計数値を「貯玉」と呼ばれる種別に変更して、翌日以降は「貯玉」によって遊技をすることができる。
【００９０】
このようなことから、会員カードは取り忘れが少ない。したがって、計数機能なし台間装置１０では、計数値を有した場合であっても、会員カードの即返却は行わず、残額による払出処理を行えるよう、残額を残額情報１４ａに記憶することとする。
【００９１】
しかし、ここでは、会員カードに関連付けられている計数値を、自動的に「貯玉」に移行することは行わないこととする。なぜなら、計数値を「貯玉」種別に変更する場合、手数料がかかってしまうので、遊技者にとって、不利益が生じてしまうからである。
【００９２】
つぎに、同図表の２行目に示すように、カード情報３２ａに、「カードＩＤ：００２、残額：４０００円、計数値：０個」と記憶されている場合、すなわち、残額のみを有する場合について説明する。
【００９３】
計数機能なし台間装置１０は、遊技者によってカードＩＤが００２であるカードが挿入されると、カードＩＤ００２に対応するカード情報３２ａの計数値が０個であるということから、カードの返却を行わない。
【００９４】
そして、計数機能なし台間装置１０は、カードＩＤ００２に対応する残額ありということから、残額による払出処理を行えるように、残額を残額情報１４ａに記憶し、遊技者は遊技を開始することとなる。
【００９５】
また、同図表の３行目に示すように、カード情報３２ａに、「カードＩＤ：００３、残額：０円、計数値：０個」と記憶されている場合、すなわち、残額も計数値もない場合について説明する。
【００９６】
ここで、計数機能なし台間装置１０では、遊技終了時に、紙幣の残額があれば、カードが挿入されていた場合は、挿入されているカードに、カードが挿入されていなかった場合には、装置内部に収納されているカードに残額を関連付ける。
【００９７】
そのため、従業員が計数機能なし台間装置１０内部に収納しておくカードを補充する際に、カードＩＤが００３であるような残額も計数値もないカードを挿入することが考えられる。したがって、計数機能なし台間装置１０は、カードＩＤが００３であるような残額も計数値もないカードが挿入されたら、このカードを装置内部に収納することとする。
【００９８】
このように、計数機能なし台間装置１０では、遊技者がカードを挿入した際に、カード情報３２ａに基づいて受付可否の判定を行い、受付を不可と判定したらすぐに、カードを返却することによって、遊技者によるカードの取り忘れを防止することができる。
【００９９】
つぎに、計数機能なし台間装置１０が実行する処理手順について図８を用いて説明する。図８は、本実施例にかかる計数機能なし台間装置が行う処理手順を示すフローチャートである。
【０１００】
同図に示すように、計数機能なし台間装置１０では、遊技者によってカードが挿入されたら（ステップＳ１０１）、カードＲ／Ｗ部１１によってカードのカードＩＤを読込む（ステップＳ１０２）。
【０１０１】
そして、カード情報取得部１５ａでは、ステップＳ１０２で読込んだカードＩＤに基づいて管理装置３０の記憶部３２に記憶されるカード情報３２ａのカードＩＤに対応付けられた残額および計数値を取得する（ステップＳ１０３）。
【０１０２】
その後、返却判定部１５ｂは、挿入されたカードが会員カードか否かを判定し（ステップＳ１０４）、会員カードであると判定した場合（ステップＳ１０４：Ｙｅｓ）、カードの受入指示を行い（ステップＳ１０５）、遊技者は遊技を開始することとなる。
【０１０３】
一方、返却判定部１５ｂでは、挿入されたカードが会員カードではないと判定した場合（ステップＳ１０４：Ｎｏ）、取得した計数値が存在するか否かを判定する（ステップＳ１０６）。
【０１０４】
そして、返却判定部１５ｂは、取得した計数値が存在すると判定した場合（ステップＳ１０６：Ｙｅｓ）、カードの返却を行い（ステップＳ１０７）、計数値がないと判定した場合には（ステップＳ１０６：Ｎｏ）、ステップＳ１０８へ処理を移行する。
【０１０５】
つづいて、返却判定部１５ｂでは、取得した残額があるか否かを判定し（ステップＳ１０８）、あると判定した場合（ステップＳ１０８：Ｙｅｓ）、カードの受入指示を行い（ステップＳ１０５）、遊技者は遊技を開始することとなる。
【０１０６】
また、返却判定部１５ｂは、残額がないと判定した場合（ステップＳ１０８：Ｎｏ）、カードの収納指示を行い（ステップＳ１０９）、計数機能なし台間装置１０は挿入されたカードを装置内部に収納することとする。
【０１０７】
ところで、これまで本発明の実施例について説明してきたが、本発明は上記した実施例以外にも、種々の異なる形態にて実施されてよいものである。本実施例においては、計数値が関連付けられたカードを挿入した場合には、すぐに返却するようにした。
【０１０８】
しかしながら、本発明はこれに限られるものではない。そこで、以下では、カードの返却判定処理の変形例について図９を用いて説明する。図９は、本発明にかかる計数値管理システムの変形例を示す図である。
【０１０９】
同図に示すように、パチンコ店には、カード情報３２ａを管理している管理装置３０と、計数機能付き台間装置２０と、計数機能なし台間装置１０とが接続されており、計数機能付き台間装置２０で、残額３０００円および計数値１５５０個が関連付けられたカードＩＤが００１であるカードを発行したとする。
【０１１０】
その後、遊技者は発行されたカードをもって、計数機能なし台間装置１０に併設されるパチンコ機４０ａに台移動を行い、再遊技を行うために、カードＩＤが００１であるカードを挿入する。
【０１１１】
そこで、管理装置３０では、カードＩＤに関連付けられたカード情報３２ａのうち残額３０００円を、計数機能なし台間装置１０に収納されているカード（ここでは、カードＩＤ：００２）に移行し、新たに、カードＩＤ：００２に関連付けてカード情報３２ａに記憶する（同図の（１）参照）。
【０１１２】
そして、計数機能なし台間装置１０では、残額が収納されているカードに移行され、残額０円となったカードＩＤが００１であるカードを返却し（同図の（２）参照）、残額によってパチンコ玉の払出処理を行う（同図の（３）参照）。
【０１１３】
これにより、計数機能なし台間装置１０に残額および計数値が関連付けられたカードを挿入された場合であっても、遊技者は、残額によって払出処理をすることができ、遊技を行うことができる。
【０１１４】
また、計数機能なし台間装置１０では、カードを挿入された際に、計数値のみが関連付けられたカードを、すぐに返却することにより、遊技者による、計数値が関連付けられたカードの取り忘れを防止することができる。
【０１１５】
上述してきたように、本実施例では、計数機能なし台間装置１０で、カードを挿入された際に、計数値の有無によってカードの受付可否の判定を行い、受付不可と判定したらすぐに、カードを返却するようにしたので、各台計数方式を採用した遊技台によって発行されたカードによって、非各台計数方式の遊技台へ台移動をした場合であっても、遊技者にわかりやすい動作を可能とするとともに、遊技者による記録媒体の取り忘れを防止することができる。
【０１１６】
なお、本発明請求項記載の台間装置は計数機能なし台間装置１０、計数機能付台間装置は計数機能付き台間装置２０、管理装置は管理装置３０、記録媒体情報記憶手段はカード情報３２ａ、媒体識別子読取手段はカードＲ／Ｗ部１１、返却判定手段は返却判定部１５ｂに相当するものである。
【０１１７】
なお、上述した実施例では、計数機能なし台間装置１０でカードの受付可否の判定処理を行ったが、管理装置３０で行うこととしてもよい。この場合、計数機能なし台間装置１０の処理負荷を軽減することができる。
【０１１８】
また、上述した実施例では、管理装置３０に記憶されるカード情報３２ａの計数値に基づいてカードの受付可否の判定処理を行ったが、カードに計数値があるか否かの識別（たとえば、計数値ありフラグ）を関連付けておいてもよい。
【０１１９】
そして、計数機能なし台間装置１０が計数値ありフラグを読み取り、読み取った計数値ありフラグが「あり」であったら、カードを返却すると判定し、計数値ありフラグが「なし」であったら、カードを受付けると判定するようにしてもよい。
【０１２０】
この場合、計数機能なし台間装置１０が管理装置３０に問合せをしないで、返却判定処理を行うことができるので、計数機能なし台間装置１０と管理装置３０との間のＬＡＮ等のネットワーク回線にかかる通信負担を大幅に軽減することができる。
【０１２１】
また、上述した実施例では、計数機能付き台間装置２０で発行したカードのカードＩＤに残額および計数値を関連付けるようにした。しかし、近年では、唯一の識別子をもつＦｅｌｉＣａ（登録商標）と呼ばれる、ＩＣ（Integrated  Circuit）チップを内蔵した携帯電話端末（以下、「おサイフケータイ（登録商標）」と記載する）が知られている。
【０１２２】
遊技者の所有するおサイフケータイ（登録商標）機能をもつ携帯電話端末をかざすことによって、おサイフケータイ（登録商標）の識別子（以下、「ＩＤｍ」と記載する）を読み取り、ＩＤｍに関連付けてカード情報３２ａを管理するようにしておいてもよい。
【０１２３】
具体的には、管理装置３０では、ＩＤｍに関連付けて残額および計数値をカード情報３２ａに記憶するようにしておく。計数機能なし台間装置１０および計数機能付き台間装置２０で、ＩＤｍに関連付けられた残額や計数値によって遊技をする場合には、遊技者の所有するおサイフケータイ（登録商標）をかざして、読み取ったＩＤｍに基づいてカード情報３２ａを取得する。
【０１２４】
また、遊技終了時には、計数機能なし台間装置１０および計数機能付き台間装置２０は、遊技者の所有するおサイフケータイ（登録商標）をかざすことによって、読み取ったＩＤｍに関連付けて終了時点の残額や計数値を管理装置３０のカード情報３２ａに記憶するといった、終了処理を行う。
【０１２５】
ここで、計数機能なし台間装置１０では、遊技者が遊技をする際におサイフケータイ（登録商標）をかざすことによって、読み取ったＩＤｍに関連付けられた計数値が存在する場合には、終了処理を行う必要ありと判定する。
【０１２６】
そして、計数機能なし台間装置１０は、遊技者の所有するおサイフケータイ（登録商標）によって終了処理を行ってもらうため、「携帯電話端末をかざして下さい。」等の案内を遊技者に対して報知する。
【０１２７】
このようにして、各台計数方式を採用した遊技台によってカード情報３２ａが関連付けられた携帯電話端末をもって、非各台計数方式の遊技台へ台移動をした場合であっても、遊技者による携帯電話端末への関連付け忘れを防止することができる。
【０１２８】
また、上述した実施例では、パチンコ遊技に適用する例を説明したが、パチスロ遊技を対象としてさらに含めた場合又はパチスロ遊技のみを対象とした場合にも同様に適用することができる。
【産業上の利用可能性】
【０１２９】
以上のように、本発明にかかる計数値管理システムでは、各台計数方式を採用した遊技台と、非各台計数方式の遊技台が混在している遊技店で再遊技をする場合に有用であり、特に、各台計数方式を採用した遊技台によって発行されたカードによって、非各台計数方式の遊技台へ台移動をした場合であっても、遊技者による記録媒体の取り忘れを防止する場合に適している。
【符号の説明】
【０１３０】
１０    計数機能なし台間装置
１１    カードＲ／Ｗ部
１２    操作部
１３    通信Ｉ／Ｆ
１４    記憶部
１４ａ  残額情報
１４ｂ  カード情報
１５    制御部
１５ａ  カード情報取得部
１５ｂ  返却判定部
１５ｃ  払出処理部
１５ｄ  カード処理部
１５ｅ  カード情報登録部
１５ｆ  計数値処理部
１５ｇ  残額処理部
１５ｈ  カード処理部
１６    持玉計数部
１７    紙幣挿入部
２０    計数機能付き台間装置
３０    管理装置
３１    通信Ｉ／Ｆ
３２    記憶部
３２ａ  カード情報
３３    制御部
３３ａ  カード情報登録部
３３ｂ  カード情報通知部
４０ａ  パチンコ機
４０ｂ  パチンコ機
５０    島コントローラ
６０    精算機
７０    景品管理装置
８０    カード端末機
８１    状態表示部
８２    リモコン受光部
８３    表示部
８４    持玉払出部
８５    玉貯留部
８６    下皿
８７    上皿
【図１】
2010253124.tif 000003
【図２】
2010253124.tif 000004
【図３】
2010253124.tif 000005
【図４】
2010253124.tif 000006
【図５】
2010253124.tif 000007
【図６】
2010253124.tif 000008
【図７】
2010253124.tif 000009
【図８】
2010253124.tif 000010
【図９】
2010253124.tif 000011